(57)【要約】【課題】芸術品が損壊し難く、芸術品を容易に観賞可能であり、且つ芸術品の価値感覚を更に向上することが可能な芸術品用保護観賞装置を提供する。【解決手段】台座２０と、台座の上面に設けられた粘着ゾーン２２と、台座の粘着ゾーンに設けられる粘着材料３０と、台座の上に位置している頂板４０と、一定の数量を有し、適当な間隔で排列され、底端が台座の周囲に連接され、上端が頂板の周囲に連接される支持ロッド５０と、台座と頂板と複数の支持ロッドとで形成される収容空間１２とを含む。【選択図】図１
2009039255.tif 000002
【特許請求の範囲】
【請求項１】
台座と、
前記台座の上面に設けられた粘着ゾーンと、
前記台座の粘着ゾーンに設けられる粘着材料と、
前記台座の上に位置している頂板と、
一定の数量を有し、適当な間隔で排列され、底端が前記台座の周囲に連接され、上端が前記頂板の周囲に連接される支持ロッドと、
前記台座と前記頂板と前記複数の支持ロッドとで形成される収容空間と、
を含むことを特徴とする芸術品用保護観賞装置。
【請求項２】
台座は、前記台座の上面から底面まで貫通し、前記粘着ゾーンに位置している貫通孔が開設していることを特徴とする請求項１に記載の芸術品用保護観賞装置。
【請求項３】
前記粘着ゾーンは環状溝であり、前記粘着材料が前記環状溝に充填されることを特徴とする請求項１に記載の芸術品用保護観賞装置。
【請求項４】
前記粘着ゾーンは前記貫通孔を囲んでいる環状溝であり、前記粘着材料が前記環状溝に充填されることを特徴とする請求項２に記載の芸術品用保護観賞装置。
【請求項５】
前記頂板は、透かし状を呈し、透かし部位を有することを特徴とする請求項１に記載の芸術品用保護観賞装置。
【請求項６】
前記粘着材料は粘着膠であるであることを特徴とする請求項１に記載の芸術品用保護観賞装置。
【請求項７】
更に、一定の数量を有し、適当な間隔で前記台座の周囲と、前記頂板の周囲とに設けられた連接穴を有し、前記複数の支持ロッドの上端と底端とは、前記台座と前記頂板とに設けられる連接穴と連接することを特徴とする請求項１に記載の芸術品用保護観賞装置。
【請求項８】
前記頂板の各連接穴は貫通孔であり、前記各支持ロッドの上端にはネジ穴が開設してあり、
更に、一定の数量を有し、前記頂板にある前記貫通孔を挿通して前記支持ロッドに開設されるネジ穴にねじ込まれる螺着子を含むことを特徴とする請求項７に記載の芸術品用保護観賞装置。
【請求項９】
前記台座の各連接穴は貫通孔であり、前記各支持ロッドの底端にはネジ穴が開設してあり、
更に、一定の数量を有し、前記台座にある前記貫通孔を挿通して前記支持ロッドに開設されるネジ穴にねじ込まれる螺着子を含むことを特徴とする、請求項７に記載の芸術品用保護観賞装置。
【請求項１０】
更に、二つのリテーナを有し、前記二つのリテーナは、上端にフック部が設けてあり、底端が前記台座と連接することを特徴とする請求項１に記載の芸術品用保護観賞装置。
【発明の詳細な説明】
【技術分野】
【０００１】
本発明は、保護装置に関する。詳しくは、割れ易い芸術品を保護することにより、芸術品の破損確率を降下可能であると共に、芸術品をよく観賞できる芸術品用保護観賞装置に関する。
【背景技術】
【０００２】
芸術品のコレクションは、ホビーの一つであり、且つ文化を保存する効果もある。
収集価値を持つ芸術品は、全て稀有であり、又は特殊な意義を有し、収集者は、収集された芸術品を定期的に拭き、収集された芸術品を取出して観賞し、又は友人に展示する。しかしながら、ある芸術品の材質（例えばセラミックス）は割れ易く、且つある部位（例えばセラミックス製の肖像の芸術品や花の枝など）が特に弱い。芸術品を握りながら観賞する場合には、油断すると芸術品が損壊し易い。また、観賞しているときに、芸術品を握る力が強すぎると芸術品も損壊し易い。
【０００３】
また、芸術品の損壊の原因は、全て人為的な原因ではなく、例えば地震やペットの不意な衝突でも、芸術品が損壊になる。
芸術品の少しの損壊でも、芸術品全体の価値は大幅に降下し、且つこのような芸術品の収集価値も大幅に降下する。
【発明の開示】
【発明が解決しようとする課題】
【０００４】
本発明の主な目的は、芸術品が損壊し難くなる芸術品用保護観賞装置を提供することにある。
本発明の次の目的は、芸術品を容易に観賞可能である芸術品用保護観賞装置を提供することにある。
本発明の別の目的は、芸術品の価値感覚を更に向上可能である芸術品用保護観賞装置を提供することにある。
【課題を解決するための手段】
【０００５】
本発明の請求項１に記載の芸術品用保護観賞装置によると、台座と、前記台座の上面に設けられた粘着ゾーンと、前記台座の粘着ゾーンに設けられる粘着材料と、前記台座の上に位置している頂板と、一定の数量を有し、適当な間隔で排列され、底端が前記台座の周囲に連接され、上端が前記頂板のの周囲に連接される支持ロッドと、前記台座と前記頂板と前記複数の支持ロッドとで形成される収容空間と、を含むことを特徴とする。
本発明の請求項２に記載の芸術品用保護観賞装置によると、更に、前記台座の上面から底面まで貫通し、前記粘着ゾーンに位置している貫通孔が開設してあることを特徴とする。
【０００６】
本発明の請求項３に記載の芸術品用保護観賞装置によると本願の発明では、前記粘着ゾーンは環状溝であり、前記粘着材料が前記環状溝に充填されることを特徴とする。
本発明の請求項４に記載の芸術品用保護観賞装置によると本願の発明では、前記粘着ゾーンは前記貫通孔を囲んでいる環状溝であり、前記粘着材料が前記環状溝に充填されることを特徴とする。
本発明の請求項５に記載の芸術品用保護観賞装置によると、前記頂板は、透かし状を呈し、透かし部位を有することを特徴とする。
【０００７】
本発明の請求項６に記載の芸術品用保護観賞装置によると本願の発明では、前記粘着材料は粘着膠であるであることを特徴とする。
本発明の請求項７に記載の芸術品用保護観賞装置によると、更に、一定の数量を有し、適当な間隔で前記台座の周囲と、前記頂板の周囲とに設けられた連接穴を有し、前記複数の支持ロッドの上端と底端とは、前記台座と前記頂板とに設けられた連接穴と連接することを特徴とする。
本発明の請求項８に記載の芸術品用保護観賞装置によると、前記頂板の各連接穴は貫通孔であり、前記各支持ロッドの上端にはネジ穴が開設してあり、更に、一定の数量を有し、前記頂板にある前記貫通孔を挿通して前記支持ロッドに開設されたネジ穴にねじ込まれる螺着子を含むことを特徴とする。
【０００８】
本発明の請求項９に記載の芸術品用保護観賞装置によると、前記台座の各連接穴は貫通孔であり、前記各支持ロッドの底端にはネジ穴が開設してあり、更に、一定の数量を有し、前記台座にある前記貫通孔を挿通して前記支持ロッドに開設されたネジ穴にねじ込まれる螺着子を含むことを特徴とする。
本発明の請求項１０に記載の芸術品用保護観賞装置によると、更に、二つのリテーナを有し、前記二つのリテーナは、上端にフック部が設けてあり、底端が前記台座と連接することを特徴とする。
【発明の効果】
【０００９】
本発明の芸術品用保護観賞装置によれば、次のような効果がある。
（イ）ユーザが本発明の保護観賞装置１０を握って芸術品を観賞する場合には、芸術品を直接に接触しないので、芸術品を握る力が強すぎて芸術品を損壊することはなくなる。
（ロ）芸術品を展示しているときに、別の物体が前記芸術品に衝突しても、前記芸術品が保護観賞装置１０に保護されるので、芸術品が衝突による損壊は発生しない。
（ハ）保護観賞装置１０に収容された芸術品が不意に落下しても、前記芸術品の代りに保護観賞装置１０が床面に衝突するので、芸術品が衝突による損壊は発生しない。また、粘着材料は振動減衰効果を持つので、芸術品の衝突による損壊は発生しない。
（二）本発明の保護観賞装置１０の頂板４０の透かし部位４２の造型は、芸術品の価値感覚を向上可能である。また、透かし部位４２の造型を芸術品のメーカの商標などにする場合には、商品のメーカを表示することができ、そして広告の効果もある。
（ホ）芸術品を観賞するときには、ユーザが保護観賞装置１０の内部をはっきり見ることができ、観賞効果は低下しない。
【発明を実施するための最良の形態】
【００１０】
以下、本発明の好適な実施の形態を、図面を参照して詳細に説明する。
（第一実施形態）
本発明の第一実施形態を図１−図６に示す。図１は本発明の第一実施形態の斜視図である。本発明の芸術品用保護観賞装置は、立体の芸術品を保護可能であり、特に、割れ易い立体の芸術品を保護可能である。
次に、図２を参照する。本発明の保護観賞装置１０の第一実施形態は、一つの台座２０と、一つの頂板４０と、若干の支持ロッド５０と、を含む。
【００１１】
前記台座２０は、矩形にしてもいいし、円形にしてもいいし、他の適当な形状にしてもいい。また、図３を参照する。粘着ゾーン２２は、前記台座２０の上面に設けられ、その寸法および形状が芸術品の底部に合う。貫通孔２４は、前記台座２０の上面から底面まで貫通し、前記粘着ゾーン２２に位置している。本実施形態では、前記粘着ゾーン２２が前記貫通孔２４を囲んでいる環状溝２５に成形される。四つの連接穴２６は、前記台座２０の上面の周囲に適当な間隔で設けられる。
【００１２】
前記粘着材料３０は、本実施形態では、環境保全に優しくて乾かない水性粘着膠である。前記粘着材料３０は前記粘着ゾーン２２の環状溝２５に充填される。
前記頂板４０は、透かし形状を呈し、透かし部位４２を適当な造型や模様にすることが好ましい。これにより、全体を軽量化にすることができ、且つ芸術の質感を向上可能である。四つの連接穴４４は、前記頂板４０の下面の周囲に適当な間隔で設けられる。
【００１３】
前記複数の支持ロッド５０は、下端が台座２０の連接穴２６にそれぞれ連接され、上端が頂板４０の連接穴２６にそれぞれ連接される。そうすると、内部に収容空間１２を持つ保護観賞装置１０が構成される。
また、図４を参照する。図４はセラミックス製の芸術品の外観概略図である。このような芸術品６０の台座６２の下面には、芸術品の作者、作製年間、商標や限定品札などが表示される。
【００１４】
このような芸術品が割れ易いので、本発明はこのような芸術品を保護可能である。本発明の使用方法は、図５と図６に示すように、まず、前記保護装置１０の収容空間１２に芸術品を入れて、粘着材料３０にて芸術品の台座６２を粘着ゾーン２２に粘着する。前記粘着材料３０の粘着力が充分であるので、芸術品６０は簡単に台座２０から離脱できない。また、前記粘着材料３０は常時に粘性を持つので、必要な場合には、芸術品を粘着材料から分離することができる。
【００１５】
前記保護装置１０内に芸術品を粘着すると、全体を定置して展示可能である。また、頂板４０の重量は台座２０よりも軽いので、前記保護装置１０の安定性が極めて高い。
また、ユーザが前記保護装置１０を握りながら芸術品を観賞することができ、このような場合には、ユーザは、芸術品を接触しないように、各角度から芸術品を観賞することができる。また、台座２０にある貫通孔２４にて芸術品の底面に記載の情報を見ることができる。
【００１６】
（第二実施形態）
本発明の第二実施形態を図７に示す。図７は本発明の保護観賞装置７０の第二実施形態の分解斜視図である。本発明の保護観賞装置７０の第二実施形態は、台座８０と、頂板８５と、粘着材料９０と、若干の支持ロッド９５と、を含み、第一実施形態と概略同じなため、同じ箇所の説明は省略する。
本実施形態の各支持ロッド９５の両端には螺旋９６，９８がぞれぞれ設けてあり、且つ螺旋９６，９８の螺旋方向が互いに逆であり、例えば下端の螺旋９６が右螺旋であると、上端の螺旋９８は左螺旋である。前記台座８０の連接穴８２と、前記頂板８５の連接穴８６とは、全てネジ穴であり、それらの螺旋の螺旋方向は互いに逆である。
【００１７】
本発明の第二実施形態の組付方法は、まず、台座８０の連接穴８２と、頂板８６の連接穴８６とに、各支持ロッド９５の両端をそれぞれねじ込み、前記支持ロッド９５を回転すると、前記支持ロッド９５の両端が台座８０の連接穴８２と、頂板８６の連接穴８６とに螺着されるようになり、そうすると、本発明の組付作業が完成する。
【００１８】
（第三実施形態）
本発明の第三実施形態を図８に示す。図８は本発明の第三実施形態の一部の分解斜視図であって、各頂板１１０の連接穴１１２は貫通孔である。各支持ロッド１２０の上端にはネジ穴１２２が設けてあり、螺着子１２５にて支持ロッド１２０の上端を頂板１１０の連接穴１１２に螺着可能である。
上記から明らかなように、螺着子１２５にて支持ロッド１２０の下端を台座１３０の連接穴１３２に螺着可能である。
【００１９】
（第四実施形態）
本発明の第四実施形態を図９および図１０に示す。図９は本発明の第四実施形態の縦方向の断面図であり、図１０は図９の一部の拡大図である。装置１４０は、上記何れかの実施形態の構造であってもよく、説明を省略した。
本実施形態は、更に、少なくとも二つのリテーナ１５０を有し、前記各リテーナ１５０は、上端にフック部１５２が設けてあり、底端がネジ１４４や他の方法にて前記台座１４２と連接する。前記リテーナ１５０は適当な間隔で設置され、前記フック部１５２が芸術品１６０の台座１６２を固定し、これにより、芸術品は台座１４２から容易に分離できない。
【図面の簡単な説明】
【００２０】
【図１】本発明の第一実施形態の斜視図である。
【図２】図１の分解斜視図である。
【図３】図１における３-３線の断面図である。
【図４】ある芸術品の外観概略図である。
【図５】本発明の使用状態を示す概略図である。
【図６】図５の縦方向の断面図である。
【図７】本発明の第二実施形態の分解斜視図である。
【図８】本発明の第三実施形態の一部の分解斜視図である。
【図９】本発明の第四実施形態の縦方向の断面図である。
【図１０】図９の一部の拡大図である。
【符号の説明】
【００２１】
１０，７０，１００：保護観賞装置、１２：収容空間、２０，８０，１３０：台座、２２：粘着ゾーン、２４：貫通孔、２５：溝、２６，８２，１３２：連接穴、３０，９０：粘着材料、４０，８５，１１０：頂板、４２：透かし部位、４４，８６，１１２：連接穴、５０，９５，１２０：支持ロッド、９６，９８：螺旋、１２２：ネジ穴、１２５：螺着子
【図１】
2009039255.tif 000003
【図２】
2009039255.tif 000004
【図３】
2009039255.tif 000005
【図４】
2009039255.tif 000006
【図５】
2009039255.tif 000007
【図６】
2009039255.tif 000008
【図７】
2009039255.tif 000009
【図８】
2009039255.tif 000010
【図９】
2009039255.tif 000011
【図１０】
2009039255.tif 000012